(57)【要約】【課題】前回の調整完了時の発光手段の駆動データを必要とせず発光手段の光量設定を短時間で行うことのできる原稿読取装置、原稿読取時の光量調整方法およびプログラムを得ること。【解決手段】光量データ取得手段１３は、発光手段１１の１回当たり発光時間あるいは発光手段１１を単位時間発光させる場合の１回当たりの電流値を、基準となる白色原稿に対して要求される光量の数分の１以下の光量を実現する範囲の光量データとして複数通り取得する。これらの光量データと対応する受光手段１２の信号レベルを用いて線形近似式を算出し光量調整完了推測値算出手段１６が光量調整完了推測値を算出する。これを基に光量調整手段１７が光量の調整を行うので、処理時間が短縮する。【選択図】図１
2013121113.tif 000002
【特許請求の範囲】
【請求項１】
発光手段と、
この発光手段の発光による原稿の反射光あるいは透過光を受光することで光電変換を行う受光手段と、
前記発光手段の１回当たり発光する時間あるいは前記発光手段を単位時間発光させる場合における１回当たりに加える電流値を、基準となる白色原稿に対して要求される光量の数分の１以下の光量を実現する範囲の光量データとして予め定めた複数通り取得する光量データ取得手段と、
この光量データ取得手段によって取得した複数通りの光量データのそれぞれを用いて前記基準となる白色原稿に対して前記発光手段を発光させ、前記受光手段から得られる光電変換結果としての信号レベルを前記光量データのそれぞれとの組み合わせとして記憶する測定結果記憶手段と、
この測定結果記憶手段に記憶した複数組の光量データと信号レベルの組み合わせに適応する所定の線形近似式を算出する線形近似式算出手段と、
この線形近似式算出手段によって算出した線形近似式を用いて、前記基準となる白色原稿に対して適切な信号レベルに近いと推測される予め定めた１つの信号レベルに対する光量を光量調整完了推測値として算出する光量調整完了推測値算出手段と、
この光量調整完了推測値算出手段の算出した光量調整完了推測値としての光量で前記発光手段を発光させたとき前記受光手段から測定の結果得られる測定信号レベルを目標となる目標信号レベルと比較し、これらが一致するように前記発光手段に対する光量を増減して調整する光量調整手段
とを具備することを特徴とする原稿読取装置。
【請求項２】
前記光量調整手段は、前記目標信号レベルの方が測定信号レベルよりも大きい間は前記発光手段を所定の最小単位ずつ光量を増加させるように１回当たり発光する時間あるいは前記発光手段を単位時間発光させる場合における１回当たりに加える電流値を増加させて前記受光手段から測定の結果得られる測定信号レベルを目標となる目標信号レベルと比較することを特徴とする請求項１記載の原稿読取装置。
【請求項３】
前記光量データ取得手段は、予め定めた固定値と、この固定値に対して加減算する最小単位量との算出式の違いによって前記光量データを予め定めた複数通り取得することを特徴とする請求項１記載の原稿読取装置。
【請求項４】
制御プログラムを格納する制御プログラム格納手段と、この制御プログラム格納手段に格納された制御プログラムを実行するＣＰＵ（Central Processing Unit）を備えており、前記固定値、前記最小単位量および前記予め定めた１つの信号レベルは前記制御プログラムに記述されていることを特徴とする請求項３記載の原稿読取装置。
【請求項５】
原稿に光線を照射する発光手段の発光による光量を複数通り変化させるための光量データを、基準となる白色原稿に対して要求される光量の数分の１以下の光量を実現する範囲の光量データとして複数通り取得する光量データ取得ステップと、
この光量データ取得ステップで取得した光量データを用いて前記発光手段を複数通り発光させ、前記基準となる白色原稿を読み取ったときの受光手段による光電変換後の信号レベルを前記光量データのそれぞれとの組み合わせとして記憶する測定結果記憶ステップと、
この測定結果記憶ステップで記憶した複数組の光量データと信号レベルの組み合わせに適応する所定の線形近似式を算出する線形近似式算出ステップと、
この線形近似式算出ステップによって算出した線形近似式を用いて、前記基準となる白色原稿に対して適切な信号レベルに近いと推測される予め定めた１つの信号レベルに対する光量を光量調整完了推測値として算出する光量調整完了推測値算出ステップと、
この光量調整完了推測値算出ステップで算出した光量調整完了推測値としての光量で前記発光手段を発光させたとき前記受光手段から測定の結果得られる測定信号レベルを目標となる目標信号レベルと比較し、これらが一致するように前記発光手段に対する光量を増減して調整する光量調整ステップ
とを具備することを特徴とする原稿読取時の光量調整方法。
【請求項６】
前記光量調整ステップは、前記目標信号レベルと前記測定信号レベルの大小関係を比較する比較ステップと、この比較ステップで前記目標信号レベルの方が測定信号レベルよりも大きいと判別されている間は前記発光手段を所定の最小単位ずつ光量を増加させるように１回当たり発光する時間あるいは前記発光手段を単位時間発光させる場合における１回当たりに加える電流値を増加させる増加ステップと、前記目標信号レベルの方が測定信号レベルよりも小さいと判別されている間は前記発光手段を所定の最小単位ずつ光量を減少させるように１回当たり発光する時間あるいは前記発光手段を単位時間発光させる場合における１回当たりに加える電流値を減少させる減少ステップと、前記目標信号レベルと測定信号レベルが等しいと判別されたとき光量の調整を終了する調整終了ステップとを具備することを特徴とする請求項５記載の原稿読取時の光量調整方法。
【請求項７】
コンピュータに、
原稿に光線を照射する発光手段の発光による光量を複数通り変化させるための光量データを、基準となる白色原稿に対して要求される光量の数分の１以下の光量を実現する範囲の光量データとして複数通り取得する光量データ取得処理と、
この光量データ取得処理で取得した光量データを用いて前記発光手段を複数通り発光させ、前記基準となる白色原稿を読み取ったときの受光手段による光電変換後の信号レベルを前記光量データのそれぞれとの組み合わせとして記憶する測定結果記憶処理と、
この測定結果記憶処理で記憶した複数組の光量データと信号レベルの組み合わせに適応する所定の線形近似式を算出する線形近似式算出処理と、
この線形近似式算出処理によって算出した線形近似式を用いて、前記基準となる白色原稿に対して適切な信号レベルに近いと推測される予め定めた１つの信号レベルに対する光量を光量調整完了推測値として算出する光量調整完了推測値算出処理と、
この光量調整完了推測値算出処理で算出した光量調整完了推測値としての光量で前記発光手段を発光させたとき前記受光手段から測定の結果得られる測定信号レベルを目標となる目標信号レベルと比較し、これらが一致するように前記発光手段に対する光量を増減して調整する光量調整処理
とを実行させることを特徴とする原稿読取時の光量調整プログラム。
【請求項８】
前記光量調整処理は、前記目標信号レベルと前記測定信号レベルの大小関係を比較する比較処理と、この比較処理で前記目標信号レベルの方が測定信号レベルよりも大きいと判別されている間は前記発光手段を所定の最小単位ずつ光量を増加させるように１回当たり発光する時間あるいは前記発光手段を単位時間発光させる場合における１回当たりに加える電流値を増加させる増加処理と、前記目標信号レベルの方が測定信号レベルよりも小さいと判別されている間は前記発光手段を所定の最小単位ずつ光量を減少させるように１回当たり発光する時間あるいは前記発光手段を単位時間発光させる場合における１回当たりに加える電流値を減少させる減少処理と、前記目標信号レベルと測定信号レベルが等しいと判別されたとき光量の調整を終了する調整終了処理とを具備することを特徴とする請求項７記載の原稿読取時の光量調整プログラム。
【請求項９】
前記光量データ取得処理は、予め定めた固定値と、この固定値に対して加減算する最小単位量との算出式の違いによって前記光量データを予め定めた複数通り取得する処理であることを特徴とする請求項７記載の原稿読取時の光量調整プログラム。
【請求項１０】
前記光量データ取得処理は、所定の制御プログラムに記述されている固定値と算出式を読み取るプログラム読取処理を具備することを特徴とする請求項９記載の原稿読取時の光量調整プログラム。
【発明の詳細な説明】
【技術分野】
【０００１】
本発明は、原稿の画像を読み取る原稿読取装置、原稿読取時の光量調整方法および光量調整プログラムに関する。本発明は特に発光素子としてのＬＥＤ（Light Emitting Diode）とＣＩＳ（Contact Image Sensor）と呼ばれる密着型撮像素子を使用して原稿の読み取りを行う場合に好適な原稿読取装置、原稿読取時の光量調整方法および光量調整プログラムに関する。
【背景技術】
【０００２】
ＣＩＳと呼ばれる密着型撮像素子は、各画素に対応する主走査方向に並んだ等倍光学系のアレイを使用して原稿の読み取りを行う。したがって、原稿読取装置にＣＩＳを使用すると、原稿の画像を光学系を使用して縮小してイメージセンサ上に結像させて読み取る従来の装置に比べて、コンパクトな装置を構成できるという特徴がある。そこで、ＣＩＳを用いた原稿読取装置が広く使用されるようになっている。
【０００３】
ところでＣＩＳを用いた原稿読取装置では、光源としてＬＥＤを用いる場合が多い。ＬＥＤから照射された光は、ＣＩＳに入射して、画像についての光電変換が行われる。このとき、１画素当たりのＬＥＤからの光量が多すぎると原稿の明るい部分、すなわち反射光の割合が多い部分で変換後の信号レベルが飽和状態となって、この部分の階調がリニアに変化しないという問題が生じる。また、１画素当たりのＬＥＤからの光量が少なすぎると、原稿の明るい部分に照射する光量が減少する。このため、原稿の明るい部分と暗い部分の光量の差が相対的に減少して、信号レベルの差が生じにくくなって、コントラストに欠けた画像が得られる。
【０００４】
そこで、このような画像読取装置ではスキャナが原稿の走査の前の段階で、所定の位置に配置された白色基準板を読み取って、これを基にしてＬＥＤの光量の調整を行うようにしている。光電変換素子が主走査方向にライン状に配置された構造となっているＣＩＳで、光量の調整は、１ライン当たりのＬＥＤの発光の長さをパルス幅で調整するか、ＬＥＤに流す電流の値を調整することにより行っている。
【０００５】
ＬＥＤの発光の長さあるいは電流値の調整に際しては、細かな調整幅（刻み）で行うほど光量の調整の精度が上がるものの、調整の終了までに要する時間が長時間化する。したがって、原稿読取装置におけるＣＩＳに対する光量調整のための調整時間を短縮することが従来から課題となっていた。
【０００６】
そこで、本発明に関連する第１の関連技術では、原稿読取装置における光量調整に関してまず「光源設定値−撮像光量特性測定工程」を行い、次に「ベース調光工程」を行うことで調整時間を短縮することを提案している（たとえば特許文献１参照）。
【０００７】
この関連技術で最初に行う「光源設定値−撮像光量特性測定工程」では、読み取りの対象となるピースフィルムを使用しない状態で光を光学系に照射して、ＬＥＤの光量を設定するための光源設定値と撮像素子の撮像光量との関係式を求めるようにしている。これにより、ピースフィルムの装着されていない状態で、光源と撮像素子との関係が求められる。次の「ベース調光工程」では、原稿の状態に応じてＬＥＤの光量を調整する。
【０００８】
まず、「光源設定値−撮像光量特性測定工程」では、所定のプログラムを起動して、メモリに記録させたＢ（青色）光源の設定値をＹ、ＣＣＤの撮像光量をＸとして、光源設定値と撮像光量との関係を表わす線形近似式（Ｙ＝αＸ＋β）を算出する。ここで「式を算出する」とは、前記した線形近似式のαおよびβを算出することを意味する。この線形近似式を算出するとき、Ｂ光源の光源設定値は、０からＣＣＤの撮像光量の最大値の約８０％に達するまで、Δｂずつ増加させて、この増加させた光源設定値におけるＣＣＤの撮像光量を測定するようにしている。
【０００９】
この「光源設定値−撮像光量特性測定工程」が終了すると、フィルムの種類、感度、撮影枚数などを表わすＤＸコードを用いてピースフィルムの種類を判別する。そして、ピースフィルムの種類に応じて、ＬＥＤの光量の調整を行うベース調光工程が開始する。
【００１０】
ベース調光工程では、まず相互影響係数の算出が行われる。相互影響係数とは、撮像光量の３原色の１つの成分に対する残りの２つの成分の比を意味する。ここではＢ光源が使用されているのでＢ色についての相互影響係数が算出されて、その値がメモリに記録される。この後、残りの２色としてのＧ色とＲＧクロックについても同様の算出が行われる。
【００１１】
ベース調光工程では、光源設定値−撮像光量特性測定工程で求めたＣＣＤの撮像光量の最大値を呼び出し、次いで、ＤＸコードに係る情報に基づいて、ピースフィルムの種類のベース濃度情報を呼び出す。次いで、これらの情報を用いて、光源の光がピースフィルムを透過するとどの程度減光されるのか（減光比）を算出する。次いで、ＣＣＤの撮像光量の目標値を算出する。次いで、相互影響係数を用いて、実目標光量を算出する。最後に、光源設定値−撮像光量特性測定工程で算出した線形近似式の係数（α群およびβ群）と、減光比の逆数である増幅率と実目標光量を用いて光源設定値の算出を行う。
【先行技術文献】
【特許文献】
【００１２】
【特許文献１】特開２００３−２３３１３７号公報（第００３６段落、第００４０段落、第００５１段落〜第００６４段落、図３〜図５）
【発明の概要】
【発明が解決しようとする課題】
【００１３】
このような第１の関連技術によれば、光源設定値としてのＬＥＤの発光パルス幅を求める作業が非常に煩雑であり、光量の調整時間の短縮化を図るためにはＣＰＵの高速処理が必要であるという問題があった。
【００１４】
一方、第２の関連技術として不揮発性メモリとしてのフラッシュメモリに前回の調整完了時のＬＥＤの発光パルス幅を記憶しておく手法が存在している。この第２の関連技術では、次の光量調整時にフラッシュメモリから前回の調整完了時のＬＥＤの発光パルス幅を読み出して、これを起点として発光パルス幅の調整を開始する。このため、調整までの時間を短縮することができるものの調整完了時のＬＥＤの発光パルス幅を毎回書き換えて保存しておくためのフラッシュメモリが必要となるという問題点があった。
【００１５】
以上、ＬＥＤを用いた原稿読取装置について説明したが、一般に発光素子を使用して光量の設定を行う原稿読取装置について同様の問題があった。
【００１６】
そこで本発明の目的は、前回の調整完了時の発光手段の駆動データを必要とせず発光手段の光量設定を短時間で行うことのできる原稿読取装置、原稿読取時の光量調整方法および光量調整プログラムを提供することにある。
【課題を解決するための手段】
【００１７】
本発明では、（イ）発光手段と、（ロ）この発光手段の発光による原稿の反射光あるいは透過光を受光することで光電変換を行う受光手段と、（ハ）前記した発光手段の１回当たり発光する時間あるいは前記した発光手段を単位時間発光させる場合における１回当たりに加える電流値を、基準となる白色原稿に対して要求される光量の数分の１以下の光量を実現する範囲の光量データとして予め定めた複数通り取得する光量データ取得手段と、（ニ）この光量データ取得手段によって取得した複数通りの光量データのそれぞれを用いて前記した基準となる白色原稿に対して前記した発光手段を発光させ、前記した受光手段から得られる光電変換結果としての信号レベルを前記した光量データのそれぞれとの組み合わせとして記憶する測定結果記憶手段と、（ホ）この測定結果記憶手段に記憶した複数組の光量データと信号レベルの組み合わせに適応する所定の線形近似式を算出する線形近似式算出手段と、（へ）この線形近似式算出手段によって算出した線形近似式を用いて、前記した基準となる白色原稿に対して適切な信号レベルに近いと推測される予め定めた１つの信号レベルに対する光量を光量調整完了推測値として算出する光量調整完了推測値算出手段と、（ト）この光量調整完了推測値算出手段の算出した光量調整完了推測値としての光量で前記した発光手段を発光させたとき前記した受光手段から測定の結果得られる測定信号レベルを目標となる目標信号レベルと比較し、これらが一致するように前記した発光手段に対する光量を増減して調整する光量調整手段とを原稿読取装置が具備する。
【００１８】
また、本発明では、（イ）原稿に光線を照射する発光手段の発光による光量を複数通り変化させるための光量データを、基準となる白色原稿に対して要求される光量の数分の１以下の光量を実現する範囲の光量データとして複数通り取得する光量データ取得ステップと、（ロ）この光量データ取得ステップで取得した光量データを用いて前記した発光手段を複数通り発光させ、前記した基準となる白色原稿を読み取ったときの受光手段による光電変換後の信号レベルを前記した光量データのそれぞれとの組み合わせとして記憶する測定結果記憶ステップと、（ハ）この測定結果記憶ステップで記憶した複数組の光量データと信号レベルの組み合わせに適応する所定の線形近似式を算出する線形近似式算出ステップと、（ニ）この線形近似式算出ステップによって算出した線形近似式を用いて、前記した基準となる白色原稿に対して適切な信号レベルに近いと推測される予め定めた１つの信号レベルに対する光量を光量調整完了推測値として算出する光量調整完了推測値算出ステップと、（ホ）この光量調整完了推測値算出ステップで算出した光量調整完了推測値としての光量で前記した発光手段を発光させたとき前記した受光手段から測定の結果得られる測定信号レベルを目標となる目標信号レベルと比較し、これらが一致するように前記した発光手段に対する光量を増減して調整する光量調整ステップとを原稿読取時の光量調整方法が具備する。
【００１９】
更に本発明では、コンピュータに、原稿読取時の光量調整プログラムとして、（イ）原稿に光線を照射する発光手段の発光による光量を複数通り変化させるための光量データを、基準となる白色原稿に対して要求される光量の数分の１以下の光量を実現する範囲の光量データとして複数通り取得する光量データ取得処理と、（ロ）この光量データ取得処理で取得した光量データを用いて前記した発光手段を複数通り発光させ、前記した基準となる白色原稿を読み取ったときの受光手段による光電変換後の信号レベルを前記した光量データのそれぞれとの組み合わせとして記憶する測定結果記憶処理と、（ハ）この測定結果記憶処理で記憶した複数組の光量データと信号レベルの組み合わせに適応する所定の線形近似式を算出する線形近似式算出処理と、（ニ）この線形近似式算出処理によって算出した線形近似式を用いて、前記した基準となる白色原稿に対して適切な信号レベルに近いと推測される予め定めた１つの信号レベルに対する光量を光量調整完了推測値として算出する光量調整完了推測値算出処理と、（ホ）この光量調整完了推測値算出処理で算出した光量調整完了推測値としての光量で前記した発光手段を発光させたとき前記した受光手段から測定の結果得られる測定信号レベルを目標となる目標信号レベルと比較し、これらが一致するように前記した発光手段に対する光量を増減して調整する光量調整処理とを実行させる。
【発明の効果】
【００２０】
以上説明したように本発明によれば、基準となる白色原稿に対して要求される光量の数分の１以下の光量を実現する範囲の光量データを用意して、これらを用いて線形近似式を算出する異にした。これにより算出処理が比較的単純であり、しかも光量調整完了推測値まで一気に飛んでいって微調整を行うので、光量調整のための処理時間を迅速化することができる。
【図面の簡単な説明】
【００２１】
【図１】本発明の原稿読取装置のクレーム対応図である。
【図２】本発明の原稿読取時の光量調整方法のクレーム対応図である。
【図３】本発明の原稿読取時の光量調整プログラムのクレーム対応図である。
【図４】本発明の実施の形態による原稿読取装置の要部を表わしたブロック図である。
【図５】本実施の形態におけるＣＩＳのパルス幅調整処理の前半を示した流れ図である。
【図６】本実施の形態におけるＣＩＳのパルス幅調整処理の後半として光量調整完了推測値を基にＬＥＤ点灯パルス幅を求める処理の流れを表わした流れ図である。
【図７】本実施の形態でＣＩＳのパルス幅調整処理でＣＩＳデータの値が目標値に設定される様子を図解した説明図である。
【図８】本発明の第１の変形例における原稿読取装置の要部を表わしたブロック図である。
【図９】本発明の第２の変形例における原稿読取装置の要部を表わしたブロック図である。
【図１０】第２の変形例におけるＣＩＳの電流値調整処理の前半の一部を示した流れ図である。
【図１１】第２の変形例におけるＣＩＳの電流値調整処理の前半の残りの部分を示した流れ図である。
【図１２】第２の変形例でＣＩＳの電流値調整処理の後半として光量調整完了推測値を基にＬＥＤ点灯電流値を求める処理の流れを表わした流れ図である。
【図１３】第２の変形例でＣＩＳのＬＥＤ点灯電流値調整処理でＣＩＳデータの値が目標値に設定される様子を図解した説明図である。
【図１４】発明の第３の変形例における原稿読取装置の要部を表わしたブロック図である。
【発明を実施するための形態】
【００２２】
図１は、本発明の原稿読取装置のクレーム対応図を示したものである。本発明の原稿読取装置１０は、発光手段１１と、受光手段１２と、光量データ取得手段１３と、測定結果記憶手段１４と、線形近似式算出手段１５と、光量調整完了推測値算出手段１６と、光量調整手段１７を備えている。ここで、受光手段１２は、発光手段１１の発光による原稿の反射光あるいは透過光を受光することで光電変換を行う。光量データ取得手段１３は、発光手段１１の１回当たり発光する時間あるいは発光手段１１を単位時間発光させる場合における１回当たりに加える電流値を、基準となる白色原稿に対して要求される光量の数分の１以下の光量を実現する範囲の光量データとして予め定めた複数通り取得する。測定結果記憶手段１４は、光量データ取得手段１３によって取得した複数通りの光量データのそれぞれを用いて前記した基準となる白色原稿に対して発光手段１１を発光させ、受光手段１２から得られる光電変換結果としての信号レベルを前記した光量データのそれぞれとの組み合わせとして記憶する。線形近似式算出手段１５は、測定結果記憶手段１４に記憶した複数組の光量データと信号レベルの組み合わせに適応する所定の線形近似式を算出する。光量調整完了推測値算出手段１６は、線形近似式算出手段１５によって算出した線形近似式を用いて、前記した基準となる白色原稿に対して適切な信号レベルに近いと推測される予め定めた１つの信号レベルに対する光量を光量調整完了推測値として算出する。光量調整手段１７は、光量調整完了推測値算出手段１６の算出した光量調整完了推測値としての光量で発光手段１１を発光させたとき受光手段１２から測定の結果得られる測定信号レベルを目標となる目標信号レベルと比較し、これらが一致するように発光手段１１に対する光量を増減して調整する
。
【００２３】
図２は、本発明の原稿読取時の光量調整方法のクレーム対応図を示したものである。本発明の原稿読取時の光量調整方法２０は、光量データ取得ステップ２１と、測定結果記憶ステップ２２と、線形近似式算出ステップ２３と、光量調整完了推測値算出ステップ２４と、光量調整ステップ２５を備えている。ここで、光量データ取得ステップ２１では、原稿に光線を照射する発光手段の発光による光量を複数通り変化させるための光量データを、基準となる白色原稿に対して要求される光量の数分の１以下の光量を実現する範囲の光量データとして複数通り取得する。測定結果記憶ステップ２２では、光量データ取得ステップ２１で取得した光量データを用いて前記した発光手段を複数通り発光させ、前記した基準となる白色原稿を読み取ったときの受光手段による光電変換後の信号レベルを前記した光量データのそれぞれとの組み合わせとして記憶する。線形近似式算出ステップ２３では、測定結果記憶ステップ２２で記憶した複数組の光量データと信号レベルの組み合わせに適応する所定の線形近似式を算出する。光量調整完了推測値算出ステップ２４では、線形近似式算出ステップ２３によって算出した線形近似式を用いて、前記した基準となる白色原稿に対して適切な信号レベルに近いと推測される予め定めた１つの信号レベルに対する光量を光量調整完了推測値として算出する。光量調整ステップ２５では、光量調整完了推測値算出ステップ２４で算出した光量調整完了推測値としての光量で前記した発光手段を発光させたとき前記した受光手段から測定の結果得られる測定信号レベルを目標となる目標信号レベルと比較し、これらが一致するように前記した発光手段に対する光量を増減して調整する。
【００２４】
図３は、本発明の原稿読取時の光量調整プログラムのクレーム対応図を示したものである。本発明の原稿読取時の光量調整プログラム３０は、コンピュータに、光量データ取得処理３１と、測定結果記憶処理３２と、線形近似式算出処理３３と、光量調整完了推測値算出処理３４と、光量調整処理３５を実行させるようにしている。ここで、光量データ取得処理３１では、原稿に光線を照射する発光手段の発光による光量を複数通り変化させるための光量データを、基準となる白色原稿に対して要求される光量の数分の１以下の光量を実現する範囲の光量データとして複数通り取得する。測定結果記憶処理３２では、光量データ取得処理３１で取得した光量データを用いて前記した発光手段を複数通り発光させ、前記した基準となる白色原稿を読み取ったときの受光手段による光電変換後の信号レベルを前記した光量データのそれぞれとの組み合わせとして記憶する。線形近似式算出処理３３では、測定結果記憶処理３２で記憶した複数組の光量データと信号レベルの組み合わせに適応する所定の線形近似式を算出する。光量調整完了推測値算出処理３４では、線形近似式算出処理３３によって算出した線形近似式を用いて、前記した基準となる白色原稿に対して適切な信号レベルに近いと推測される予め定めた１つの信号レベルに対する光量を光量調整完了推測値として算出する。光量調整処理３５では、光量調整完了推測値算出処理３４で算出した光量調整完了推測値としての光量で前記した発光手段を発光させたとき前記した受光手段から測定の結果得られる測定信号レベルを目標となる目標信号レベルと比較し、これらが一致するように前記した発光手段に対する光量を増減して調整する。
【００２５】
＜発明の実施の形態＞
【００２６】
次に本発明の実施の形態を説明する。
【００２７】
図４は、本発明の実施の形態による原稿読取装置の要部を表わしたものである。この原稿読取装置１００は、図示しない原稿に対向して配置された密着型撮像素子としてのＣＩＳ１０１を備えている。ＣＩＳ１０１は、図示しないＬＥＤを複数配置した発光部と、ロッドレンズからなる光学系部と、光電変換素子を画素単位で複数配置したセンサ部からなるモジュールで構成されている。ＣＩＳ１０１には、図示しない白色基準板が取り付けられており、センサ部は発光部の照射した光を基にして基準となる白色を検出することができるようになっている。
【００２８】
ＣＩＳ１０１は光量調整部１０２に接続されている。光量調整部１０２はこの原稿読取装置１００の全体を制御するＣＰＵ（Central Processing Unit）部１０３に接続されている。光量調整部１０２は、ＣＩＳ１０１の出力するＣＩＳデータ１０４を入力するＣＩＳデータ入力部１０５と、ＣＩＳ１０１の前記した発光部のＬＥＤに点灯パルス１０６を供給するＬＥＤ点灯パルス生成部１０７を備えている。
【００２９】
ＣＰＵ部１０３は、ＣＩＳデータ入力部１０５から出力されるＣＩＳデータ１０８を入力する調整推測値算出部１１１および目標値との比較部１１２を備えている。ここで調整推測値算出部１１１は、ＣＩＳデータ１０８から光量調整推測値１１３を算出する。目標値との比較部１１２は、予め定めた光量の目標値とＣＩＳデータ１０８を比較して、これを比較出力値１１４として出力する。調整推測値算出部１１１の算出した光量調整推測値１１３と、目標値との比較部１１２の出力する比較出力値１１４は、光量調整部１０２のＬＥＤ点灯パルス生成部１０７に供給されて点灯パルス１０６が生成されるようになっている。
【００３０】
ＣＰＵ部１０３は、図示しないＣＰＵと、制御プログラムを格納したメモリを有している。調整推測値算出部１１１と、目標値との比較部１１２は、このＣＰＵ部１０３内のメモリに格納された制御プログラムをＣＰＵが実行することでソフトウェア的にこれらの機能を実現するようになっている。
【００３１】
図５は、この原稿読取装置が原稿の読み取りを開始するに先立ってＣＩＳの点灯のためのパルス幅の暫定値としての光量調整完了推測値を算出する処理の流れを表わしたものである。これは、ＣＩＳのパルス幅調整処理の前半を示したものである。図４と共に説明する。
【００３２】
まず調整推測値算出部１１１は、原稿読取装置１００の図示しない操作部によって原稿の読み取りの開始が指示されると、光量調整部１０２のＬＥＤ点灯パルス生成部１０７に第１のＬＥＤ点灯パルス幅データＤ1を与えて、第１回目のＬＥＤの点灯パルス１０６の生成を指示する（ステップＳ２０１）。
【００３３】
ＬＥＤ点灯パルス生成部１０７は、第１のＬＥＤ点灯パルス幅データＤ1の生成の指示と共に、操作部の指示を受けて前記したＣＰＵが実行する制御プログラムに予め書き込まれている固定値ＤFとパルス幅の刻みＤPならびにパルス幅の算出式とを調整推測値算出部１１１から受け取る。ＬＥＤ点灯パルス生成部１０７は、これを基にしてＬＥＤの点灯パルス１０６のパルス幅を表わした第１のＬＥＤ点灯パルス幅データＤ1を、次の（１）式を基に算出する（ステップＳ２０２）。
【００３４】
第１のＬＥＤ点灯パルス幅データＤ1＝固定値ＤF＋パルス幅の刻みＤP×１  …（１）
【００３５】
ＬＥＤ点灯パルス生成部１０７は、算出した第１のＬＥＤ点灯パルス幅データＤ1を点灯パルス１０６としてＣＩＳ１０１に印加し駆動する（ステップＳ２０３）。これにより、ＣＩＳ１０１の前記したＬＥＤが発光する。
【００３６】
ＣＩＳデータ入力部１０５は、ＬＥＤ点灯パルス生成部１０７が第１のＬＥＤ点灯パルス幅データＤ1をＣＩＳ１０１に印加した第１回目の点灯処理に同期してＣＩＳデータ１０４の読み取りを行い、その結果Ｃ1を第１のＣＩＳデータ１０８1として調整推測値算出部１１１に送出する（ステップＳ２０４）。調整推測値算出部１１１は、第１のＣＩＳデータ１０８1の読み取り結果Ｃ1と第１のＬＥＤ点灯パルス幅データＤ1の組み合わせを前記したメモリの一時記憶領域に格納する（ステップＳ２０５）。
【００３７】
調整推測値算出部１１１は、以上のようにして第１回目のＬＥＤの点灯パルス１０６の生成と読み取りの処理が終了したら、続いて第２回目のＬＥＤの点灯パルス１０６の生成を指示する（ステップＳ２０６）。
【００３８】
ＬＥＤ点灯パルス生成部１０７は、第２のＬＥＤ点灯パルス幅データＤ1の生成の指示を受けると、ＬＥＤの点灯パルス１０６のパルス幅を表わした第２のＬＥＤ点灯パルス幅データＤ2を、次の（２）式を基に算出する（ステップＳ２０７）。
【００３９】
第２のＬＥＤ点灯パルス幅データＤ2＝固定値ＤF＋パルス幅の刻みＤP×２  …（２）
【００４０】
ＬＥＤ点灯パルス生成部１０７は、算出した第２のＬＥＤ点灯パルス幅データＤ2を点灯パルス１０６としてＣＩＳ１０１に印加し駆動する（ステップＳ２０８）。これにより、ＣＩＳ１０１のＬＥＤが発光する。
【００４１】
ＣＩＳデータ入力部１０５は、ＬＥＤ点灯パルス生成部１０７が第２のＬＥＤ点灯パルス幅データＤ2をＣＩＳ１０１に印加した第２回目の点灯処理に同期してＣＩＳデータ１０４の読み取りを行い、その結果Ｃ2を第２のＣＩＳデータ１０８2として調整推測値算出部１１１に送出する（ステップＳ２０９）。調整推測値算出部１１１はこの第２のＣＩＳデータ１０８2を前記したメモリの一時記憶領域に格納する（ステップＳ２１０）。
【００４２】
調整推測値算出部１１１は、以上のようにして第２回目のＬＥＤの点灯パルス１０６の生成と読み取りの処理が終了したら、続いて第３回目のＬＥＤの点灯パルス１０６の生成を指示する（ステップＳ２１１）。
【００４３】
ＬＥＤ点灯パルス生成部１０７は、第３のＬＥＤ点灯パルス幅データＤ3の生成の指示を受けるとＬＥＤの点灯パルス１０６のパルス幅を表わした第３のＬＥＤ点灯パルス幅データＤ3を、次の（３）式を基に算出する（ステップＳ２１２）。
【００４４】
第３のＬＥＤ点灯パルス幅データＤ3＝固定値ＤF＋パルス幅の刻みＤP×３  …（３）
【００４５】
ＬＥＤ点灯パルス生成部１０７は、算出した第３のＬＥＤ点灯パルス幅データＤ3を点灯パルス１０６としてＣＩＳ１０１に印加し駆動する（ステップＳ２１３）。これにより、ＣＩＳ１０１のＬＥＤが発光する。
【００４６】
ＣＩＳデータ入力部１０５は、ＬＥＤ点灯パルス生成部１０７が第３のＬＥＤ点灯パルス幅データＤ3をＣＩＳ１０１に印加した第３回目の点灯処理に同期してＣＩＳデータ１０４の読み取りを行い、その結果Ｃ3を第３のＣＩＳデータ１０８3として調整推測値算出部１１１に送出する（ステップＳ２１４）。調整推測値算出部１１１はこの第２のＣＩＳデータ１０８2を前記したメモリの一時記憶領域に格納する（ステップＳ２１５）。
【００４７】
調整推測値算出部１１１は、以上のようにして第３回目のＬＥＤの点灯パルス１０６の生成と読み取りの処理が終了したら、これらの結果を用いて線形近似式を作成し、この線形近似式を用いて光量調整完了推測値を算出する（ステップＳ２１６）。これにより、パルス幅調整のための前半の処理を終了することになる（エンド）。
【００４８】
図６は、ＣＩＳのパルス幅調整処理の後半として光量調整完了推測値を基にＬＥＤ点灯パルス幅を求める処理の流れを表わしたものである。図４と共に説明する。
【００４９】
調整推測値算出部１１１は図５に示す処理で光量調整完了推測値を算出したら、この値をＬＥＤ点灯パルス幅としてＬＥＤ点灯パルス生成部１０７に供給し、ＬＥＤの点灯を行わせる（ステップＳ２３１）。ＣＩＳデータ入力部１０５は、このＬＥＤの点灯に同期してＣＩＳデータ１０４の読み取りを行う（ステップＳ２３２）。
【００５０】
目標値との比較部１１２は、前記した制御プログラムに書き込まれた目標値を取得して、この目標値とＣＩＳデータ入力部１０５から入力されたＣＩＳデータ１０４の大小関係を判別する。まず、ＣＩＳデータ１０４の値よりも目標値の方が大きいかの判別が行われる（ステップＳ２３３）。そうであれば（Ｙ）、目標値との比較部１１２はＬＥＤ点灯パルス幅をパルス幅の刻みＤPだけ加算して、得られたＬＥＤ点灯パルス幅を比較出力値１１４としてＬＥＤ点灯パルス生成部１０７に供給し、ＬＥＤを点灯させる（ステップＳ２３４）。そして、ステップＳ２３２に進んでＣＩＳデータ入力部１０５は、ＬＥＤの点灯に同期してＣＩＳデータ１０４の読み取りを行う。この後、ステップＳ２３３の処理が再度行われる。
【００５１】
これに対してステップＳ２３３でＣＩＳデータ１０４の値よりも目標値の方が大きいといえないと判断した場合（Ｎ）、目標値との比較部１１２はＣＩＳデータ１０４の値の方が目標値よりも大きいかの判断を行う（ステップＳ２３５）。そうであれば（Ｙ）、目標値との比較部１１２はＬＥＤ点灯パルス幅をパルス幅の刻みＤPだけ減算して、得られたＬＥＤ点灯パルス幅を比較出力値１１４としてＬＥＤ点灯パルス生成部１０７に供給し、ＬＥＤを点灯させる（ステップＳ２３６）。そして、ステップＳ２３２に進んでＣＩＳデータ入力部１０５は、このＬＥＤの点灯に同期してＣＩＳデータ１０４の読み取りを行う。この後、ステップＳ２３３の処理が再度行われる。
【００５２】
以上と異なりＣＩＳデータ１０４の値と目標値が等しいとき、あるいはステップＳ２３４またはステップＳ２３６の処理が所定回行われることでこれらの値が等しくなったときには（ステップＳ２３３：Ｎ、ステップＳ２３５：Ｎ）、ＬＥＤ点灯パルス幅の設定が終了することになる（エンド）。
【００５３】
図７は、図５および図６で説明したＣＩＳのパルス幅調整処理でＣＩＳデータの値が目標値に設定される様子を図解したものである。この図７で縦軸はＣＩＳデータの値を示しており、横軸はＣＩＳのＬＥＤ点灯パルス幅を示している。ここで横軸は、たとえば１．４ミリ秒といったＣＩＳのライン周期を４０００で割った値となっている。図５および図６と共に説明する。
【００５４】
図７に示した例では、制御プログラムに予め書き込まれている固定値ＤFが「１０００」であるとし、パルス幅の刻みＤPが「１００」であるとする。この場合、（１）式で示した第１のＬＥＤ点灯パルス幅データＤ1は、以下のように求められる。
【００５５】
Ｄ1＝１０００＋１００×１
＝１１００
【００５６】
このとき、ＣＩＳデータ１０４の読み取りの結果はＣ1である。
【００５７】
また、（２）式で示した第２のＬＥＤ点灯パルス幅データＤ2は、以下のように求められる。
【００５８】
Ｄ2＝１０００＋１００×２
＝１２００
【００５９】
このとき、ＣＩＳデータ１０４の読み取りの結果はＣ2である。
【００６０】
更に、（３）式で示した第３のＬＥＤ点灯パルス幅データＤ3は、以下のように求められる。
【００６１】
Ｄ3＝１０００＋１００×３
＝１３００
【００６２】
このとき、ＣＩＳデータ１０４の読み取りの結果はＣ3である。
【００６３】
図７では、図５におけるステップＳ２０４で求めた第１のＬＥＤ点灯パルス幅データＤ1と、このとき読み取ったＣＩＳデータの読み取り結果Ｃ1の交点をＰ1としてプロットしている。同様に、ステップＳ２０９で求めた第２のＬＥＤ点灯パルス幅データＤ2と、このとき読み取ったＣＩＳデータの読み取り結果Ｃ2の交点をＰ2としてプロットし、ステップＳ２１４で求めた第３のＬＥＤ点灯パルス幅データＤ3と、このとき読み取ったＣＩＳデータの読み取り結果Ｃ3の交点をＰ3としてプロットしている。
【００６４】
図５におけるステップＳ２１６で、調整推測値算出部１１１は交点Ｐ1、Ｐ2、Ｐ3の３点を基に算出された線形近似式で表わされた近似曲線１３１を算出する。この近似曲線１３１は、ＬＥＤ点灯パルス幅とＣＩＳデータの将来値を予測するのに使用する。
【００６５】
そこで、調整推測値算出部１１１は制御プログラムに予め書き込まれている目標値に対応するＬＥＤ点灯パルス幅の推測値を、この近似曲線１３１を基にして推測することになる。図５では、ＣＩＳデータ１０４の目標値が「５００００」に設定されている。したがって、調整推測値算出部１１１はＣＩＳデータ１０４の目標値が「５００００」のときの近似曲線１３１との交点ＰSに対応するＬＥＤ点灯パルス幅ＤSを求めることになる。これが図６のステップＳ２３１で説明した光量調整完了推測値である。
【００６６】
このステップＳ２３１では光量調整完了推測値としてのＬＥＤ点灯パルス幅ＤSをＬＥＤ点灯パルス生成部１０７が生成して、ＣＩＳ１０１の発光部のＬＥＤをその時間幅で駆動する。そして、ステップＳ２３２でＣＩＳデータ入力部１０５が得られたＣＩＳデータの値を読み取って、ステップＳ２３３以降でこれを目標値としての「５００００」と比較することになる。
【００６７】
ステップＳ２３１で行われたＣＩＳ１０１のＬＥＤ点灯パルス幅ＤSは、線形近似式の精度にもよるが、最終的に求められる点灯パルス幅にかなり近接した値となっている。したがって、ステップＳ２３４あるいはステップＳ２３６でパルス幅の刻みＤPを所定回数加減することで、目標値と誤差の範囲内で一致するＬＥＤ点灯パルス幅が比較的短時間に求められることになる（図６エンド）。
【００６８】
以上のようにして図４に示した読取装置１００はＣＩＳ１０１の発光部のＬＥＤについての点灯パルス幅を決定することになる。なお、原稿の実際の画像の状態に応じて露光量の調整を行ったり、ＣＩＳ１０１の個々のセンサ部の感度のバラツキを補正するために画素単位で露光量の調整を行う場合がある。このような調整は、以上説明したＬＥＤ点灯パルス幅の決定を基準にして行うもので、すでによく知られた技術であるので、ここでの説明は省略する。
【００６９】
以上説明した発明の実施の形態では、線形近似式を算出するために固定値ＤFに対して刻みＤPを１倍、２倍、３倍した第１、第２、第３のＬＥＤ点灯パルス幅データＤ1、Ｄ2、Ｄ3を作成したが、このように刻みＤPを順次加算した値を使用する必要はない。たとえば刻みＤPを１倍、４倍、９倍した３つの値を使用してもよいし、使用する値の数も更に増加してもよい。
【００７０】
このように本発明の実施の形態では、制御プログラムに予め書き込まれた固定値ＤF、刻みＤP等の値を用いてＣＩＳ１０１の発光部のＬＥＤについての点灯パルス幅を決定することにした。このため、固定的なデータを格納しておくフラッシュメモリ等の不揮発性メモリを必要とすることなくＬＥＤの点灯パルス幅を決定することができ、読取装置のコストダウンを図ることができる。
【００７１】
また、図７では横軸上で第１、第２、第３のＬＥＤ点灯パルス幅データＤ1、Ｄ2、Ｄ3の存在する範囲はＬＥＤ点灯パルス幅の「１１００」、「１２００」および「１３００」を含む範囲である。これは、光量調整完了推測値としてのＬＥＤ点灯パルス幅ＤSの位置と比べると、基準となる白色原稿に対して要求される光量の数分の１以下の光量を実現する範囲に属する。したがって、近似曲線１３１を求めてＬＥＤ点灯パルス幅ＤSの位置まで一飛びすることで目標値までの処理時間を大幅に短縮することができる。
【００７２】
すなわち、本実施の形態では近似式を用いるので目標値まで一気に飛ぶことができない場合も多いが、ＬＥＤ点灯パルス幅ＤSの位置を起点としてパルス幅を微調整することで、光量調整完了までの全体の処理時間は従来よりも大きく短縮されることになる。
【００７３】
＜本発明の第１の変形例＞
【００７４】
図８は本発明の第１の変形例における原稿読取装置の要部を表わしたものである。図８で図４と同一部分には同一の符号を付しており、これらの説明を適宜省略する。
【００７５】
第１の変形例の原稿読取装置１００Ａは、ＣＩＳ１０１とその光量を調整する光量調整部１０２ＡおよびＣＰＵ部１０３Ａを備えている。ここで光量調整部１０２Ａは、ＣＩＳデータ入力部１０５およびＬＥＤ点灯パルス生成部１０７の他に、先の実施の形態でＣＰＵ部１０３（図４）に存在した調整推測値算出部１１１と目標値との比較部１１２Ａを備えている。ただし、目標値との比較部１１２ＡはＣＩＳ１０１における光量の調整が完了すると調整完了信号３０１をＣＰＵ部１０３Ａに供給する機能を新たに備えている。ＣＰＵ部１０３Ａは調整完了信号３０１を受信することで光量の調整が完了したことを判別する。
【００７６】
第１の変形例の原稿読取装置１００Ａが光量の調整を行う処理の流れは、図５および図６で示したと同様になる。そこで、これらの処理の詳細についての説明は省略する。
【００７７】
この第１の変形例の原稿読取装置１００Ａによれば、先の実施の形態に比べて光量調整部１０２Ａの構成を充実させた。これにより、ＣＰＵ部１０３Ａの負担を軽減することができる。このような光量調整部１０２Ａは、ＣＰＵ部１０３Ａとは別構成のＣＰＵと制御プログラムを格納したメモリを用いて構成することができる。また、光量調整部１０２Ａの一部または全部をハードウェアで構成することも可能である。
【００７８】
＜本発明の第２の変形例＞
【００７９】
図９は本発明の第２の変形例における原稿読取装置の要部を表わしたものである。図９で図４と同一部分には同一の符号を付しており、これらの説明を適宜省略する。
【００８０】
第２の変形例の原稿読取装置１００Ｂは、ＣＩＳ１０１とその光量を調整する光量調整部１０２ＢおよびＣＰＵ部１０３Ｂを備えている。ここでＣＩＳ１０１は、図４に示した実施の形態と同一である。光量調整部１０２ＢはＣＩＳデータ入力部１０５とＬＥＤ電流制御部１０７Ｂを備えている。ＬＥＤ電流制御部１０７Ｂは、ＣＩＳ１０１におけるＬＥＤの光量をパルス幅ではなく電流値によって調整するようになっている。ＣＰＵ部１０３Ｂは、調整推測値算出部１１１Ｂを制御する図示しない制御プログラムの内容が実施の形態と異なっている。
【００８１】
図１０は、図５に対応するＣＩＳの電流値調整処理の前半の一部を示したものである。図９と共に説明する。
【００８２】
この第２の変形例における原稿読取装置１００Ｂで調整推測値算出部１１１Ｂは、この原稿読取装置１００Ｂの図示しない操作部が原稿の読み取りの開始を指示すると、光量調整部１０２ＢのＬＥＤ電流制御部１０７Ｂに第０の点灯電流値データＥ0を与えて、第０回目のＬＥＤの点灯パルス１０６の生成を指示する（ステップＳ４０１）。
【００８３】
ＬＥＤ電流制御部１０７Ｂは、第０のＬＥＤ点灯電流値データＥ0の生成の指示と共に、操作部の指示を受けて前記したＣＰＵが実行する制御プログラムに予め書き込まれている固定値ＥFと電流値の刻みＥPならびに電流値の算出式を調整推測値算出部１１１Ｂから受け取る。ＬＥＤ電流制御部１０７Ｂは、これを基にしてＬＥＤの点灯パルス１０６の点灯電流値を表わした第０のＬＥＤ点灯電流値データＥ0を、次の（４）式を基に算出する（ステップＳ４０２）。
【００８４】
第０のＬＥＤ点灯電流値データＥ0＝固定値ＥF  …（４）
【００８５】
ＬＥＤ電流制御部１０７Ｂは、算出した第０のＬＥＤ点灯電流値データＥ0を点灯パルス１０６としてＣＩＳ１０１に印加し駆動する（ステップＳ４０３）。これにより、ＣＩＳ１０１のＬＥＤが発光する。
【００８６】
ＣＩＳデータ入力部１０５は、ＬＥＤ電流制御部１０７Ｂが第０のＬＥＤ点灯電流値データＥ0をＣＩＳ１０１に印加した第０回目の点灯処理に同期してＣＩＳデータ１０４の読み取りを行い、その結果Ｃ1を第０のＣＩＳデータ１０８0として調整推測値算出部１１１Ｂに送出する（ステップＳ４０４）。調整推測値算出部１１１Ｂは、第０のＣＩＳデータ１０８0の読み取り結果Ｃ0と第０のＬＥＤ点灯電流値データＥ0の組み合わせを前記したメモリの一時記憶領域に格納する（ステップＳ４０５）。
【００８７】
図１１は、図５に対応するＣＩＳの電流値調整処理の前半の残りの部分を示したものである。図９と共に説明する。
【００８８】
調整推測値算出部１１１Ｂは、以上のようにして第０回目のＬＥＤの点灯パルス１０６の生成と読み取りの処理が終了したら、続いて第１回目のＬＥＤの点灯パルス１０６の生成を指示する（ステップＳ４０６）。
【００８９】
ＬＥＤ電流制御部１０７Ｂは、固定値ＥFと電流値の刻みＥPならびに電流値の算出式を基にしてＬＥＤの点灯パルス１０６の点灯電流値を表わした第１のＬＥＤ点灯電流値データＥ1を、次の（５）式を基に算出する（ステップＳ４０７）。
【００９０】
第１のＬＥＤ点灯電流値データＥ1＝固定値ＥF＋電流値の刻みＥP×１  …（５）
【００９１】
ＬＥＤ電流制御部１０７Ｂは、算出した第１のＬＥＤ点灯電流値データＥ0を点灯パルス１０６としてＣＩＳ１０１に印加し駆動する（ステップＳ４０８）。これにより、ＣＩＳ１０１のＬＥＤが発光する。
【００９２】
ＣＩＳデータ入力部１０５は、ＬＥＤ電流制御部１０７Ｂが第１のＬＥＤ点灯電流値データＥ1をＣＩＳ１０１に印加した第１回目の点灯処理に同期してＣＩＳデータ１０４の読み取りを行い、その結果Ｃ1を第１のＣＩＳデータ１０８1として調整推測値算出部１１１Ｂに送出する（ステップＳ４０９）。調整推測値算出部１１１Ｂは、第１のＣＩＳデータ１０８1の読み取り結果Ｃ1と第１のＬＥＤ点灯電流値データＥ1の組み合わせを前記したメモリの一時記憶領域に格納する（ステップＳ４１０）。
【００９３】
調整推測値算出部１１１Ｂは、以上のようにして第１回目のＬＥＤの点灯パルス１０６の生成と読み取りの処理が終了したら、続いて第２回目のＬＥＤの点灯パルス１０６の生成を指示する（ステップＳ４１１）。
【００９４】
ＬＥＤ電流制御部１０７Ｂは、固定値ＥFと電流値の刻みＥPならびに電流値の算出式を基にしてＬＥＤの点灯パルス１０６の点灯電流値を表わした第２のＬＥＤ点灯電流値データＥ2を、次の（６）式を基に算出する（ステップＳ４１２）。
【００９５】
第２のＬＥＤ点灯電流値データＥ2＝固定値ＥF＋電流値の刻みＥP×２  …（６）
【００９６】
ＬＥＤ電流制御部１０７Ｂは、算出した第２のＬＥＤ点灯電流値データＥ2を点灯パルス１０６としてＣＩＳ１０１に印加し駆動する（ステップＳ４１３）。これにより、ＣＩＳ１０１のＬＥＤが発光する。
【００９７】
ＣＩＳデータ入力部１０５は、ＬＥＤ電流制御部１０７Ｂが第２のＬＥＤ点灯電流値データＥ2をＣＩＳ１０１に印加した第２回目の点灯処理に同期してＣＩＳデータ１０４の読み取りを行いその結果Ｃ2を第２のＣＩＳデータ１０８2として調整推測値算出部１１１Ｂに送出する（ステップＳ４１４）。調整推測値算出部１１１Ｂは、第２のＣＩＳデータ１０８2の読み取り結果Ｃ2と第２のＬＥＤ点灯電流値データＥ2の組み合わせを前記したメモリの一時記憶領域に格納する（ステップＳ４１５）。
【００９８】
調整推測値算出部１１１Ｂは、以上のようにして第２回目のＬＥＤの点灯パルス１０６の生成と読み取りの処理が終了したら、続いて第３回目のＬＥＤの点灯パルス１０６の生成を指示する（ステップＳ４１６）。
【００９９】
ＬＥＤ電流制御部１０７Ｂは、固定値ＥFと電流値の刻みＥPならびに電流値の算出式を基にしてＬＥＤの点灯パルス１０６の点灯電流値を表わした第３のＬＥＤ点灯電流値データＥ3を、次の（７）式を基に算出する（ステップＳ４１７）。
【０１００】
第３のＬＥＤ点灯電流値データＥ3＝固定値ＥF＋電流値の刻みＥP×３  …（７）
【０１０１】
ＬＥＤ電流制御部１０７Ｂは、算出した第３のＬＥＤ点灯電流値データＥ3を点灯パルス１０６としてＣＩＳ１０１に印加し駆動する（ステップＳ４１８）。これにより、ＣＩＳ１０１のＬＥＤが発光する。
【０１０２】
ＣＩＳデータ入力部１０５は、ＬＥＤ電流制御部１０７Ｂが第３のＬＥＤ点灯電流値データＥ3をＣＩＳ１０１に印加した第３回目の点灯処理に同期してＣＩＳデータ１０４の読み取りを行い、その結果Ｃ3を第３のＣＩＳデータ１０８3として調整推測値算出部１１１Ｂに送出する（ステップＳ４１９）。調整推測値算出部１１１Ｂは、第３のＣＩＳデータ１０８3の読み取り結果Ｃ3と第３のＬＥＤ点灯電流値データＥ3の組み合わせを前記したメモリの一時記憶領域に格納する（ステップＳ４２０）。
【０１０３】
調整推測値算出部１１１Ｂは、以上のようにして第３回目のＬＥＤの点灯パルス１０６の生成と読み取りの処理が終了したら線形近似式を算出して、これを用いて、光量調整完了推測値を算出し（ステップＳ４２１）、一定のパルス幅における電流値の調整のための前半の処理を終了することになる（エンド）。
【０１０４】
図１２は、ＣＩＳの電流値調整処理の後半として光量調整完了推測値を基にＬＥＤ点灯電流値を求める処理の流れを表わしたものである。図９と共に説明する。
【０１０５】
調整推測値算出部１１１Ｂは図１０および図１１に示す処理で光量調整完了推測値を算出したら、この値をＬＥＤ点灯電流値としてＬＥＤ電流制御部１０７Ｂに供給し、ＬＥＤの点灯を行わせる（ステップＳ４３１）。ＣＩＳデータ入力部１０５は、このＬＥＤの点灯に同期してＣＩＳデータ１０４の読み取りを行う（ステップＳ４３２）。
【０１０６】
目標値との比較部１１２は、前記した制御プログラムに書き込まれた目標値を取得して、この目標値とＣＩＳデータ入力部１０５から入力されたＣＩＳデータ１０４の大小関係を判別する。まず、ＣＩＳデータ１０４の値よりも目標値の方が大きいかの判別が行われる（ステップＳ４３３）。そうであれば（Ｙ）、目標値との比較部１１２はＬＥＤ点灯電流値を電流値の刻みＥPだけ加算して、得られたＬＥＤ点灯電流値を比較出力値１１４としてＬＥＤ電流制御部１０７Ｂに供給し、ＬＥＤを点灯させる（ステップＳ４３４）。そして、ステップＳ４３２に進んでＣＩＳデータ入力部１０５は、ＬＥＤの点灯に同期してＣＩＳデータ１０４の読み取りを行う。この後、ステップＳ４３３の処理が再度行われる。
【０１０７】
これに対してステップＳ４３３でＣＩＳデータ１０４の値よりも目標値の方が大きいといえないと判断した場合（Ｎ）、目標値との比較部１１２はＣＩＳデータ１０４の値の方が目標値よりも大きいかの判断を行う（ステップＳ４３５）。そうであれば（Ｙ）、目標値との比較部１１２はＬＥＤ点灯電流値を電流値の刻みＥPだけ減算して、得られたＬＥＤ点灯電流値を比較出力値１１４としてＬＥＤ電流制御部１０７Ｂに供給し、ＬＥＤを点灯させる（ステップＳ４３６）。そして、ステップＳ４３２に進んでＣＩＳデータ入力部１０５は、このＬＥＤの点灯に同期してＣＩＳデータ１０４の読み取りを行う。この後、ステップＳ４３３の処理が再度行われる。
【０１０８】
以上と異なりＣＩＳデータ１０４の値と目標値が等しいとき、あるいはステップＳ４３４またはステップＳ４３６の処理が所定回行われることでこれらの値が等しくなったときには（ステップＳ４３３：Ｎ、ステップＳ４３５：Ｎ）、ＬＥＤ点灯電流値の設定が終了することになる（エンド）。
【０１０９】
図１３は、以上図１０〜図１２で説明したＣＩＳのＬＥＤ点灯電流値調整処理でＣＩＳデータの値が目標値に設定される様子を図解したものである。この図１３で縦軸はＣＩＳデータの値を示しており、横軸はＣＩＳのＬＥＤ点灯電流値を示している。ここで横軸は、たとえば１．４ミリ秒といったＣＩＳのライン周期を４０００で割った値となっている。図５および図６と共に説明する。
【０１１０】
図１３に示した例では、制御プログラムに予め書き込まれている固定値ＥFが「１０００」であるとし、ＬＥＤ点灯電流値の刻みＥPが「１００」であるとする。この場合、（４）式で示した第０のＬＥＤ点灯電流値データＥ0は、以下のように求められる。
【０１１１】
Ｅ0＝１０００＋１００×０
＝１０００
【０１１２】
このとき、ＣＩＳデータ１０４の読み取りの結果はＣ0である。
【０１１３】
また、（５）式で示した第１のＬＥＤ点灯電流値データＥ1は、以下のように求められる。
【０１１４】
Ｅ1＝１０００＋１００×１
＝１１００
【０１１５】
このとき、ＣＩＳデータ１０４の読み取りの結果はＣ1である。
【０１１６】
また、（６）式で示した第２のＬＥＤ点灯電流値データＥ2は、以下のように求められる。
【０１１７】
Ｅ2＝１０００＋１００×２
＝１２００
【０１１８】
このとき、ＣＩＳデータ１０４の読み取りの結果はＣ2である。
【０１１９】
更に、（７）式で示した第３のＬＥＤ点灯電流値データＥ3は、以下のように求められる。
【０１２０】
Ｅ3＝１０００＋１００×３
＝１３００
【０１２１】
このとき、ＣＩＳデータ１０４の読み取りの結果はＣ3である。
【０１２２】
図１３では、図１０におけるステップＳ４０２で求めた第０のＬＥＤ点灯電流値データＥ0と、このとき読み取ったＣＩＳデータの読み取り結果Ｃ0の交点をＰ0としてプロットしている。また、図１１におけるステップＳ４０７で求めた第１のＬＥＤ点灯電流値データＥ1と、このとき読み取ったＣＩＳデータの読み取り結果Ｃ1の交点をＰ1としてプロットしている。同様に、ステップＳ４１２で求めた第２のＬＥＤ点灯電流値データＥ2と、このとき読み取ったＣＩＳデータの読み取り結果Ｃ2の交点をＰ2としてプロットし、ステップＳ４１７で求めた第３のＬＥＤ点灯電流値データＥ3と、このとき読み取ったＣＩＳデータの読み取り結果Ｃ3の交点をＰ3としてプロットしている。
【０１２３】
図１１におけるステップＳ４２１で調整推測値算出部１１１は、交点Ｐ1、Ｐ2、Ｐ3の３点を基に線形近似式を算出する。そして、これにより得られた近似曲線１３１Ａは、ＬＥＤ点灯電流値とＣＩＳデータの将来値を予測するのに使用される。
【０１２４】
そこで、調整推測値算出部１１１は制御プログラムに予め書き込まれている目標値に対応するＬＥＤ点灯電流値の推測値を、この近似曲線１３１Ａを基にして推測することになる。この変形例でもＣＩＳデータ１０４の目標値が「５００００」に設定されている。したがって、調整推測値算出部１１１はＣＩＳデータ１０４の目標値が「５００００」のときの近似曲線１３１Ａとの交点ＰSに対応するＬＥＤ点灯電流値ＥSを求めることになる。これが図１２のステップＳ４３１で説明した光量調整完了推測値である。
【０１２５】
このステップＳ４３１では光量調整完了推測値としてのＬＥＤ点灯電流値ＥSをＬＥＤ電流制御部１０７Ｂが生成して、ＣＩＳ１０１の発光部のＬＥＤをその電流値で駆動する。そして、ステップＳ４３２でＣＩＳデータ入力部１０５が得られたＣＩＳデータの値を読み取って、ステップＳ４３３以降でこれを目標値としての「５００００」と比較することになる。
【０１２６】
ステップＳ４３１で行われたＣＩＳ１０１のＬＥＤ点灯電流値ＥSは、線形近似式の精度にもよるが、最終的に求められる点灯電流値にかなり近接した値となっている。したがって、ステップＳ４３４あるいはステップＳ４３６で電流値の刻みＥPを所定回数加減することで、目標値と誤差の範囲内で一致するＬＥＤ点灯電流値が比較的短時間に求められることになる（図１２エンド）。
【０１２７】
以上のようにして図９に示した読取装置１００ＢはＣＩＳ１０１の発光部のＬＥＤについての点灯電流値を決定することになる。なお、原稿の実際の画像の状態に応じて露光量の調整を行ったり、ＣＩＳ１０１の個々のセンサ部の感度のバラツキを補正するために画素単位で露光量の調整を行う場合がある。このような調整は、以上説明したＬＥＤ点灯電流値の決定を基準にして行うもので、すでによく知られた技術であるので、ここでの説明は省略する。
【０１２８】
以上説明した本発明の第２の変形例では、線形近似式に適用するために固定値ＥFに対して刻みＥPを０倍、１倍、２倍、３倍した第０、第１、第２、第３のＬＥＤ点灯電流値データＥ0、Ｅ1、Ｅ2、Ｅ3を作成したが、このように刻みＥPを順次加算した値を使用する必要はない。たとえば刻みＥPを０倍、１倍、４倍、９倍した３つの値を使用してもよいし、使用する値の数も更に増加してもよい。
【０１２９】
このように本発明の第２の変形例では、制御プログラムに予め書き込まれた固定値ＥF、刻みＥP等の値を用いてＣＩＳ１０１の発光部のＬＥＤについての点灯電流値を決定することにした。このため、固定的なデータを格納しておくフラッシュメモリ等の不揮発性メモリを必要とすることなくＬＥＤの点灯電流値を決定することができ、読取装置のコストダウンを図ることができる。
【０１３０】
また、図１３では横軸上で第０、第１、第２、第３のＬＥＤ点灯電流値データＥ0、Ｅ1、Ｅ2、Ｅ3の存在する範囲はＬＥＤ点灯電流値の「１０００」、「１１００」、「１２００」および「１３００」を含む範囲である。これは、光量調整完了推測値としてのＬＥＤ点灯電流値ＥSの位置と比べると、基準となる白色原稿に対して要求される光量の数分の１以下の光量を実現する範囲に属する。したがって、近似曲線１３１Ａを求めてＬＥＤ点灯電流値ＥSの位置まで一飛びすることで目標値までの処理時間を大幅に短縮することができる。
【０１３１】
すなわち、この変形例では近似式を用いるので目標値まで一気に正確に飛ぶことができない場合も多いが、ＬＥＤ点灯電流値ＥSの位置を起点として電流値を微調整することで、光量調整完了までの全体の処理時間は従来よりも大きく短縮されることになる。
【０１３２】
＜本発明の第３の変形例＞
【０１３３】
図１４は本発明の第３の変形例における原稿読取装置の要部を表わしたものである。図１４で図４と同一部分には同一の符号を付しており、これらの説明を適宜省略する。
【０１３４】
第３の変形例の原稿読取装置１００Ｃは、図８に示した第１の変形例の原稿読取装置１００ＡにおけるＬＥＤ点灯パルス生成部１０７を、第２の変形例におけるＬＥＤ電流制御部１０７Ｂに置き替えた光量調整部１０２Ｃを備えている。したがって、第２の変形例の原稿読取装置１００Ｂと同様にＬＥＤ点灯電流値による調整を行うことになる。パルス幅の代りに電流値で調整する手法については第２の変形例で説明した。したがって、第３の変形例の原稿読取装置１００Ｃの具体的な動作の説明は省略する。
【０１３５】
以上説明した実施の形態ではＣＩＳデータの３点での読み取りからＬＥＤ点灯のパルス幅についての光量調整完了推測値を算出し、第２の変形例ではＣＩＳデータの４点での読み取りからＬＥＤ点灯の電流についての光量調整完了推測値を算出した。制御の対象がパルス幅であるか電流であるかによって、ＣＩＳデータの参照数に違いが生じるものではないことは当然である。ＣＩＳデータの参照数は、光量調整完了推測値の生じうる誤差との関係で自由に設定することができる。
【０１３６】
また、実施の形態および各変形例では、ＬＥＤに代表される発光手段が原稿を照射し、その反射光を読取素子に入射して光電変換を行うものとして説明したが、これに限るものではない。発光手段から出力される光線を原稿が透過して読取素子に入射する原稿読取装置でも本発明を同様に適用することができる。
【０１３７】
以上説明した実施の形態の一部または全部は、以下の付記のようにも記載されるが、以下の記載に限定されるものではない。
【０１３８】
（付記１）
発光手段と、
この発光手段の発光による原稿の反射光あるいは透過光を受光することで光電変換を行う受光手段と、
前記発光手段の１回当たり発光する時間あるいは前記発光手段を単位時間発光させる場合における１回当たりに加える電流値を、基準となる白色原稿に対して要求される光量の数分の１以下の光量を実現する範囲の光量データとして予め定めた複数通り取得する光量データ取得手段と、
この光量データ取得手段によって取得した複数通りの光量データのそれぞれを用いて前記基準となる白色原稿に対して前記発光手段を発光させ、前記受光手段から得られる光電変換結果としての信号レベルを前記光量データのそれぞれとの組み合わせとして記憶する測定結果記憶手段と、
この測定結果記憶手段に記憶した複数組の光量データと信号レベルの組み合わせに適応する所定の線形近似式を算出する線形近似式算出手段と、
この線形近似式算出手段によって算出した線形近似式を用いて、前記基準となる白色原稿に対して適切な信号レベルに近いと推測される予め定めた１つの信号レベルに対する光量を光量調整完了推測値として算出する光量調整完了推測値算出手段と、
この光量調整完了推測値算出手段の算出した光量調整完了推測値としての光量で前記発光手段を発光させたとき前記受光手段から測定の結果得られる測定信号レベルを目標となる目標信号レベルと比較し、これらが一致するように前記発光手段に対する光量を増減して調整する光量調整手段
とを具備することを特徴とする原稿読取装置。
【０１３９】
（付記２）
前記光量調整手段は、前記目標信号レベルの方が測定信号レベルよりも大きい間は前記発光手段を所定の最小単位ずつ光量を増加させるように１回当たり発光する時間あるいは前記発光手段を単位時間発光させる場合における１回当たりに加える電流値を増加させて前記受光手段から測定の結果得られる測定信号レベルを目標となる目標信号レベルと比較することを特徴とする付記１記載の原稿読取装置。
【０１４０】
（付記３）
前記光量調整手段は、前記目標信号レベルの方が測定信号レベルよりも小さい間は前記発光手段を所定の最小単位ずつ光量を減少させるように１回当たり発光する時間あるいは前記発光手段を単位時間発光させる場合における１回当たりに加える電流値を減少させて前記受光手段から測定の結果得られる測定信号レベルを目標となる目標信号レベルと比較することを特徴とする付記１記載の原稿読取装置。
【０１４１】
（付記４）
前記光量データ取得手段は、予め定めた固定値と、この固定値に対して加減算する最小単位量との算出式の違いによって前記光量データを予め定めた複数通り取得することを特徴とする付記１記載の原稿読取装置。
【０１４２】
（付記５）
制御プログラムを格納する制御プログラム格納手段と、この制御プログラム格納手段に格納された制御プログラムを実行するＣＰＵ（Central Processing Unit）を備えており、前記固定値、前記最小単位量および前記予め定めた１つの信号レベルは前記制御プログラムに記述されていることを特徴とする付記４記載の原稿読取装置。
【０１４３】
（付記６）
原稿に光線を照射する発光手段の発光による光量を複数通り変化させるための光量データを、基準となる白色原稿に対して要求される光量の数分の１以下の光量を実現する範囲の光量データとして複数通り取得する光量データ取得ステップと、
この光量データ取得ステップで取得した光量データを用いて前記発光手段を複数通り発光させ、前記基準となる白色原稿を読み取ったときの受光手段による光電変換後の信号レベルを前記光量データのそれぞれとの組み合わせとして記憶する測定結果記憶ステップと、
この測定結果記憶ステップで記憶した複数組の光量データと信号レベルの組み合わせに適応する所定の線形近似式を算出する線形近似式算出ステップと、
この線形近似式算出ステップによって算出した線形近似式を用いて、前記基準となる白色原稿に対して適切な信号レベルに近いと推測される予め定めた１つの信号レベルに対する光量を光量調整完了推測値として算出する光量調整完了推測値算出ステップと、
この光量調整完了推測値算出ステップで算出した光量調整完了推測値としての光量で前記発光手段を発光させたとき前記受光手段から測定の結果得られる測定信号レベルを目標となる目標信号レベルと比較し、これらが一致するように前記発光手段に対する光量を増減して調整する光量調整ステップ
とを具備することを特徴とする原稿読取時の光量調整方法。
【０１４４】
（付記７）
前記光量調整ステップは、前記目標信号レベルと前記測定信号レベルの大小関係を比較する比較ステップと、この比較ステップで前記目標信号レベルの方が測定信号レベルよりも大きいと判別されている間は前記発光手段を所定の最小単位ずつ光量を増加させるように１回当たり発光する時間あるいは前記発光手段を単位時間発光させる場合における１回当たりに加える電流値を増加させる増加ステップと、前記目標信号レベルの方が測定信号レベルよりも小さいと判別されている間は前記発光手段を所定の最小単位ずつ光量を減少させるように１回当たり発光する時間あるいは前記発光手段を単位時間発光させる場合における１回当たりに加える電流値を減少させる減少ステップと、前記目標信号レベルと測定信号レベルが等しいと判別されたとき光量の調整を終了する調整終了ステップとを具備することを特徴とする付記６記載の原稿読取時の光量調整方法。
【０１４５】
（付記８）
前記光量データ取得ステップは、予め定めた固定値と、この固定値に対して加減算する最小単位量との算出式の違いによって前記光量データを予め定めた複数通り取得するステップであることを特徴とする付記６記載の原稿読取時の光量調整方法。
【０１４６】
（付記９）
前記光量データ取得ステップは、所定の制御プログラムに記述されている固定値と算出式を読み取るプログラム読取ステップを具備することを特徴とする付記８記載の原稿読取時の光量調整方法。
【０１４７】
（付記１０）
コンピュータに、
原稿に光線を照射する発光手段の発光による光量を複数通り変化させるための光量データを、基準となる白色原稿に対して要求される光量の数分の１以下の光量を実現する範囲の光量データとして複数通り取得する光量データ取得処理と、
この光量データ取得処理で取得した光量データを用いて前記発光手段を複数通り発光させ、前記基準となる白色原稿を読み取ったときの受光手段による光電変換後の信号レベルを前記光量データのそれぞれとの組み合わせとして記憶する測定結果記憶処理と、
この測定結果記憶処理で記憶した複数組の光量データと信号レベルの組み合わせに適応する所定の線形近似式を算出する線形近似式算出処理と、
この線形近似式算出処理によって算出した線形近似式を用いて、前記基準となる白色原稿に対して適切な信号レベルに近いと推測される予め定めた１つの信号レベルに対する光量を光量調整完了推測値として算出する光量調整完了推測値算出処理と、
この光量調整完了推測値算出処理で算出した光量調整完了推測値としての光量で前記発光手段を発光させたとき前記受光手段から測定の結果得られる測定信号レベルを目標となる目標信号レベルと比較し、これらが一致するように前記発光手段に対する光量を増減して調整する光量調整処理
とを実行させることを特徴とする原稿読取時の光量調整プログラム。
【０１４８】
（付記１１）
前記光量調整処理は、前記目標信号レベルと前記測定信号レベルの大小関係を比較する比較処理と、この比較処理で前記目標信号レベルの方が測定信号レベルよりも大きいと判別されている間は前記発光手段を所定の最小単位ずつ光量を増加させるように１回当たり発光する時間あるいは前記発光手段を単位時間発光させる場合における１回当たりに加える電流値を増加させる増加処理と、前記目標信号レベルの方が測定信号レベルよりも小さいと判別されている間は前記発光手段を所定の最小単位ずつ光量を減少させるように１回当たり発光する時間あるいは前記発光手段を単位時間発光させる場合における１回当たりに加える電流値を減少させる減少処理と、前記目標信号レベルと測定信号レベルが等しいと判別されたとき光量の調整を終了する調整終了処理とを具備することを特徴とする付記１０記載の原稿読取時の光量調整プログラム。
【０１４９】
（付記１２）
前記光量データ取得処理は、予め定めた固定値と、この固定値に対して加減算する最小単位量との算出式の違いによって前記光量データを予め定めた複数通り取得する処理であることを特徴とする付記１０記載の原稿読取時の光量調整プログラム。
【０１５０】
（付記１３）
前記光量データ取得処理は、所定の制御プログラムに記述されている固定値と算出式を読み取るプログラム読取処理を具備することを特徴とする付記１２記載の原稿読取時の光量調整プログラム。
【符号の説明】
【０１５１】
１０、１００、１００Ａ、１００Ｂ、１００Ｃ  原稿読取装置
１１  発光手段
１２  受光手段
１３  光量データ取得手段
１４  測定結果記憶手段
１５  線形近似式算出手段
１６  光量調整完了推測値算出手段
１７  光量調整手段
２０  原稿読取時の光量調整方法
２１  光量データ取得ステップ
２２  測定結果記憶ステップ
２３  線形近似式算出ステップ
２４  光量調整完了推測値算出ステップ
２５  光量調整ステップ
３０  原稿読取時の光量調整プログラム
３１  光量データ取得処理
３２  測定結果記憶処理
３３  線形近似式算出処理
３４  光量調整完了推測値算出処理
３５  光量調整処理
１０１  ＣＩＳ
１０２、１０２Ａ、１０２Ｂ、１０２Ｃ  光量調整部
１０３、１０３Ａ、１０３Ｂ  ＣＰＵ部
１０５  ＣＩＳデータ入力部
１０７  ＬＥＤ点灯パルス生成部
１０７Ｂ  ＬＥＤ電流制御部
１１１、１１１Ｂ  調整推測値算出部
１１２、１１２Ａ  比較部
１３１、１３１Ａ  近似曲線
【図１】
2013121113.tif 000003
【図２】
2013121113.tif 000004
【図３】
2013121113.tif 000005
【図４】
2013121113.tif 000006
【図５】
2013121113.tif 000007
【図６】
2013121113.tif 000008
【図７】
2013121113.tif 000009
【図８】
2013121113.tif 000010
【図９】
2013121113.tif 000011
【図１０】
2013121113.tif 000012
【図１１】
2013121113.tif 000013
【図１２】
2013121113.tif 000014
【図１３】
2013121113.tif 000015
【図１４】
2013121113.tif 000016